(57)【要約】【課題】極座標変調信号と同期化する。【解決手段】  変調信号である被測定信号を振幅復調し前記被測定信号の振幅成分である振幅復調信号を生成し、前記被測定信号を位相復調し前記被測定信号の位相成分である位相復調信号を生成し、前記被測定信号に対応し互いに同期化した基準振幅信号および基準位相信号を生成し、前記振幅復調信号と前記基準振幅信号とを相関させ、前記位相復調信号と前記基準位相信号とを相関させ、前記相関結果に基づいて、前記振幅復調信号と前記位相復調信号との時間差を得て、前記時間差に基づいて前記振幅復調信号および前記位相復調信号の少なくとも一方の時間位置を個別に調整し、時間位置が調整された前記振幅復調信号および前記位相復調信号に基づいて、前記被測定信号の特性、または、前記被測定信号を出力する被測定物の特性を測定する。【選択図】図２
2007013403.tif 000002
【特許請求の範囲】
【請求項１】
変調信号である被測定信号から前記被測定信号の各成分を生成し、前記各成分を時間位置を揃えて出力する第一のステップと、
前記各成分に基づいて、前記被測定信号の特性、または、前記被測定信号を出力する被測定物の特性を測定する第二のステップと、
を含む測定方法。
【請求項２】
前記第一のステップが、同一情報に対応する部分の時間位置を揃えて、前記各成分を出力する第三のステップを含むことを特徴とする請求項１に記載の測定方法。
【請求項３】
前記第一のステップが、前記被測定信号を２以上のＮ個の復調方式のそれぞれで復調することによりＮ個の前記成分を得る第四のステップを含むことを特徴とする請求項１または請求項２に記載の測定方法。
【請求項４】
前記各成分が、前記被測定信号の振幅成分および前記被測定信号の位相成分であることを特徴とする請求項１または請求項２に記載の測定方法。
【請求項５】
変調信号である被測定信号を振幅復調し、前記被測定信号の振幅成分である振幅復調信号を生成する第六のステップと、
前記被測定信号を位相復調し、前記被測定信号の位相成分である位相復調信号を生成する第七のステップと、
前記被測定信号に対応し、互いに同期化した基準振幅信号および基準位相信号を生成する第八のステップと、
前記振幅復調信号と前記基準振幅信号とを相関させる第九のステップと、
前記位相復調信号と前記基準位相信号とを相関させる第十のステップと、
前記第九および第十のステップにおける相関結果に基づいて、前記振幅復調信号と前記位相復調信号との時間差を得る第十一のステップと、
前記時間差に基づいて、前記振幅復調信号および前記位相復調信号の少なくとも一方の時間位置を個別に調整する第十二のステップと、
を含み、
前記第二のステップが、時間位置が調整された前記振幅復調信号および前記位相復調信号に基づいて、前記被測定信号の特性、または、前記被測定信号を出力する被測定物の特性を測定することを特徴とする請求項１乃至請求項４のいずれかに記載の測定方法。
【請求項６】
入力信号を振幅復調し、前記入力信号の振幅成分である振幅復調信号を生成するステップと、
前記入力信号を位相復調し、前記入力信号の位相成分である位相復調信号を生成するステップと、
前記入力信号に対応し、互いに同期化した基準振幅信号および基準位相信号を生成するステップと、
前記振幅復調信号と前記基準振幅信号とを相関させるステップと、
前記位相復調信号と前記基準位相信号とを相関させるステップと、
を含み、
前記第一および第二の相関器における相関結果に基づいて、前記振幅復調信号と前記位相復調信号との時間差を測定する方法。
【請求項７】
入力信号を振幅復調し、前記入力信号の振幅成分である振幅復調信号を生成するステップと、
前記入力信号を位相復調し、前記入力信号の周波数成分である周波数復調信号を生成するステップと、
前記入力信号に対応し、互いに同期化した基準振幅信号および基準周波数信号を生成するステップと、
前記振幅復調信号と前記基準振幅信号とを相関させるステップと、
前記周波数復調信号と前記基準周波数信号とを相関させるステップと、
を含み、
前記第一および第二の相関器における相関結果に基づいて、前記振幅復調信号と前記位相復調信号との時間差を測定する方法。
【請求項８】
入力信号と同期化する方法であって、
入力信号を振幅復調し、前記入力信号の振幅成分である振幅復調信号を生成するステップと、
前記入力信号を位相復調し、前記入力信号の位相成分である位相復調信号を生成するステップと、
前記入力信号に対応し、互いに同期化した基準振幅信号および基準位相信号を生成するステップと、
前記振幅復調信号と前記基準振幅信号とを相関させるステップと、
前記位相復調信号と前記基準位相信号とを相関させるステップと、
前記第一および第二の相関器における相関結果に基づいて、前記振幅復調信号と前記位相復調信号との時間差を得るステップと、
前記時間差に基づいて、前記振幅復調信号および前記位相復調信号の少なくとも一方の時間位置を個別に調整するステップと、
を含むことを特徴とする同期化方法。
【請求項９】
前記調整ステップにおいて、前記振幅復調信号および前記位相復調信号の時間位置が揃うように、前記振幅復調信号および前記位相復調信号の少なくとも一方の時間位置が個別に調整されることを特徴とする請求項８に記載の同期化方法。
【請求項１０】
入力信号と同期化する方法であって、
互いに異なる２以上のＮ個の復調方式で前記入力信号を復調し、Ｎ個の復調信号を得る復調器と、
前記復調信号のそれぞれと前記入力信号とに応じたＮ個の基準信号を生成する信号発生器と、
前記復調された信号と、対応する前記基準信号とを相関させ、Ｎ個の相関結果を得る相関器と、
前記Ｎ個の相関結果に基づき、前記Ｎ個の復調信号の時間位置を揃える時間位置調整器と、
を含むことを特徴とする同期化方法。
【請求項１１】
測定装置であって、
変調信号である被測定信号から前記被測定信号の各成分を、前記各成分を時間位置を揃えて出力する同期化部と、
前記各成分に基づいて、前記被測定信号の特性、または、前記被測定信号を出力する被測定物の特性を測定する測定部と、
を備えることを特徴とする測定装置。
【請求項１２】
前記同期化部が、同一情報に対応する部分の時間位置を揃えて、前記各成分を出力することを特徴とする請求項１１に記載の測定装置。
【請求項１３】
前記同期化部が、前記被測定信号を２以上のＮ個の復調方式のそれぞれで復調することによりＮ個の前記成分を得ることを特徴とする請求項１１または請求項１２に記載の測定装置。
【請求項１４】
前記同期化部が、前記被測定信号の振幅成分および前記被測定信号の位相成分を生成し、前記振幅成分に含まれる情報と前記位相成分に含まれる情報の時間位置が揃うように、前記振幅成分と前記位相成分を出力することを特徴とする請求項１１または請求項１２に記載の測定装置。
【請求項１５】
前記同期化部が、
前記被測定信号を振幅復調し、前記被測定信号の振幅成分である振幅復調信号を生成する振幅復調器と、
前記被測定信号を位相復調し、前記被測定信号の位相成分である位相復調信号を生成する位相復調器と、
前記被測定信号に対応し、互いに同期化した基準振幅信号および基準位相信号を生成する信号発生器と、
前記振幅復調信号と前記基準振幅信号とを相関させる第一の相関器と、
前記位相復調信号と前記基準位相信号とを相関させる第二の相関器と、
前記第一および第二の相関器における相関結果に基づいて、前記振幅復調信号と前記位相復調信号との時間差を得る測定器と、
前記時間差に基づいて、前記振幅復調信号および前記位相復調信号の少なくとも一方の時間位置を個別に調整する時間位置調整器と、
を具備し、
前記測定部が、時間位置が調整された前記振幅復調信号および前記位相復調信号に基づいて、前記被測定信号の特性、または、前記被測定信号を出力する被測定物の特性を測定することを特徴とする請求項１１乃至請求項１４のいずれかに記載の測定装置。
【請求項１６】
入力信号を振幅復調し、前記入力信号の振幅成分である振幅復調信号を生成する振幅復調器と、
前記入力信号を位相復調し、前記入力信号の位相成分である位相復調信号を生成する位相復調器と、
前記入力信号に対応し、互いに同期化した基準振幅信号および基準位相信号を生成する信号発生器と、
前記振幅復調信号と前記基準振幅信号とを相関させる第一の相関器と、
前記位相復調信号と前記基準位相信号とを相関させる第二の相関器と、
を備え、
前記第一および第二の相関器における相関結果に基づいて、前記振幅復調信号と前記位相復調信号との時間差を測定する装置。
【請求項１７】
入力信号を振幅復調し、前記入力信号の振幅成分である振幅復調信号を生成する振幅復調器と、
前記入力信号を位相復調し、前記入力信号の周波数成分である周波数復調信号を生成する位相復調器と、
前記入力信号に対応し、互いに同期化した基準振幅信号および基準周波数信号を生成する信号発生器と、
前記振幅復調信号と前記基準振幅信号とを相関させる第一の相関器と、
前記周波数復調信号と前記基準周波数信号とを相関させる第二の相関器と、
を備え、
前記第一および第二の相関器における相関結果に基づいて、前記振幅復調信号と前記位相復調信号との時間差を測定する装置。
【請求項１８】
入力信号を振幅復調し、前記入力信号の振幅成分である振幅復調信号を生成する振幅復調器と、
前記入力信号を位相復調し、前記入力信号の位相成分である位相復調信号を生成する位相復調器と、
前記入力信号に対応し、互いに同期化した基準振幅信号および基準位相信号を生成する信号発生器と、
前記振幅復調信号と前記基準振幅信号とを相関させる第一の相関器と、
前記位相復調信号と前記基準位相信号とを相関させる第二の相関器と、
前記第一および第二の相関器における相関結果に基づいて、前記振幅復調信号と前記位相復調信号との時間差を得る測定器と、
前記時間差に基づいて、前記振幅復調信号および前記位相復調信号の少なくとも一方の時間位置を個別に調整する時間位置調整器と、
を備えることを特徴とする同期化装置。
【請求項１９】
前記時間位置調整器が、前記振幅復調信号および前記位相復調信号の時間位置が揃うように、前記振幅復調信号および前記位相復調信号の少なくとも一方の時間位置を個別に調整することを特徴とする請求項１８に記載の同期化装置。
【請求項２０】
互いに異なる２以上のＮ個の復調方式で入力信号を復調し、Ｎ個の復調信号を得る復調器と、
前記復調信号のそれぞれと前記入力信号とに応じたＮ個の基準信号を生成する信号発生器と、
前記復調された信号と、対応する前記基準信号とを相関させ、Ｎ個の相関結果を得る相関器と、
前記Ｎ個の相関結果に基づき、前記Ｎ個の復調信号の時間位置を揃える時間位置調整器と、
を備える同期化装置。
【発明の詳細な説明】
【技術分野】
【０００１】
本発明は、複数の方式により変調された信号と同期化するための技術に関する。
【背景技術】
【０００２】
移動体通信システム、例えば、２．５Ｇおよび３Ｇの移動体通信システムにおいて、受信器と送信器とを同期化するために、同期化用の信号が送信器から受信器に送られる。この同期化用の信号は、同期化シーケンス、トレーニング・シーケンス・コードなどと称されることもある。同期化用信号は、受信器において、同期化のために時間的な位置が調べられる（例えば、特許文献１を参照）。なお、同期化とは、ある信号と他のある信号との時間位置関係を調べること、言い換えれば、ある信号と他のある信号を時間位置関係が既知の状態にすること。または、同期化は、ある信号と他のある信号の時間位置関係を所定の関係にすることをいう。
【０００３】
近年、移動体通信システムにおいて、極座標変調方式が採用される傾向にある。極座標変調方式は、信号空間上における信号点を、振幅成分ｒと偏角成分θで表現する方式である（例えば、特許文献２を参照。）。なお、振幅成分は、振幅信号、絶対値成分または絶対値信号とも称する。また、偏角成分は、偏角信号、位相成分または位相信号とも称する。さらに、本明細書では、振幅成分と偏角成分を総じて、極座標成分または極座標信号と称する。この極座標変調方式は、信号増幅器の電力効率を高めることができる。ここで、図１を参照する。図１は、極座標変調方式の概念を示すブロック図である。極座標信号発生器１１０は、ディジタルデータから振幅成分ｒおよび位相成分θを生成する。搬送波信号源１２０から出力される信号は、位相変調器１３０において、位相成分θにより位相変調が施される。位相変調された信号は、極座標アンプ１４０において、さらに、振幅成分ｒにより振幅変調が施される。このように極座標変調方式により生成された信号を、極座標変調信号と称する。なお、極座標アンプ１４０において、可変利得飽和増幅器１４３が、位相変調器１３０の出力信号を振幅成分ｒで振幅変調する。フィルタ１４１およびフィルタ１４２は、関連する信号を最適化するものである。
【０００４】
【特許文献１】特開２００２−２７００３号公報
【特許文献２】特開２００４−３５６８３５号公報
【発明の開示】
【発明が解決しようとする課題】
【０００５】
この極座標変調方式により生成された信号は、振幅変調成分と位相変調成分との間に時間的なずれを持つ場合がある。その時間的なずれは、幾つかの問題を引き起こす。例えば、変調信号を測定する装置において、極座標変調信号と同期化することができない場合がある。また、変調信号を測定する装置が極座標変調信号と同期化できたとしても、時間的なずれが測定結果に誤差を生じさせてしまう。
【０００６】
そこで、本発明は、成分間に時間的ズレを有する変調信号と同期化するための方法または装置を提供することを目的とする。また、本発明は、変調信号における成分間の時間的ズレを測定する方法または装置を提供することを目的とする。さらに、本発明は、変調信号における成分間の時間的ズレによる誤差を従来に比べて低減した測定方法または測定装置を提供することを目的とする。
【課題を解決するための手段】
【０００７】
本第一の発明は、測定方法であって、変調信号である被測定信号から前記被測定信号の各成分を生成し、前記各成分を時間位置を揃えて出力する第一のステップと、前記各成分に基づいて、前記被測定信号の特性、または、前記被測定信号を出力する被測定物の特性を測定する第二のステップとを含むことを特徴とするものである。
【０００８】
本第二の発明は、本第一の発明において、前記第一のステップが、同一情報に対応する部分の時間位置を揃えて、前記各成分を出力する第三のステップを含むことを特徴とするものである。
【０００９】
本第三の発明は、本第一の発明または本第二の発明において、前記第一のステップが、前記被測定信号を２以上のＮ個の復調方式のそれぞれで復調することによりＮ個の前記成分を得る第四のステップを含むことを特徴とするものである。
【００１０】
本第四の発明は、本第一の発明または本第二の発明において、前記各成分が、前記被測定信号の振幅成分および前記被測定信号の位相成分であることを特徴とするものである。
【００１１】
本第五の発明は、本第一乃至本第四のいずれかの発明において、変調信号である被測定信号を振幅復調し、前記被測定信号の振幅成分である振幅復調信号を生成する第六のステップと、前記被測定信号を位相復調し、前記被測定信号の位相成分である位相復調信号を生成する第七のステップと、前記被測定信号に対応し、互いに同期化した基準振幅信号および基準位相信号を生成する第八のステップと、前記振幅復調信号と前記基準振幅信号とを相関させる第九のステップと、前記位相復調信号と前記基準位相信号とを相関させる第十のステップと、前記第九および第十のステップにおける相関結果に基づいて、前記振幅復調信号と前記位相復調信号との時間差を得る第十一のステップと、前記時間差に基づいて、前記振幅復調信号および前記位相復調信号の少なくとも一方の時間位置を個別に調整する第十二のステップとを含み、前記第二のステップが、時間位置が調整された前記振幅復調信号および前記位相復調信号に基づいて、前記被測定信号の特性、または、前記被測定信号を出力する被測定物の特性を測定することを特徴とするものである。
【００１２】
本第六の発明は、時間差測定方法であって、入力信号を振幅復調し、前記入力信号の振幅成分である振幅復調信号を生成するステップと、前記入力信号を位相復調し、前記入力信号の位相成分である位相復調信号を生成するステップと、前記入力信号に対応し、互いに同期化した基準振幅信号および基準位相信号を生成するステップと、前記振幅復調信号と前記基準振幅信号とを相関させるステップと、前記位相復調信号と前記基準位相信号とを相関させるステップとを含み、前記第一および第二の相関器における相関結果に基づいて、前記振幅復調信号と前記位相復調信号との時間差を測定することを特徴とするものである。
【００１３】
本第七の発明は、時間差測定方法であって、入力信号を振幅復調し、前記入力信号の振幅成分である振幅復調信号を生成するステップと、前記入力信号を位相復調し、前記入力信号の周波数成分である周波数復調信号を生成するステップと、前記入力信号に対応し、互いに同期化した基準振幅信号および基準周波数信号を生成するステップと、前記振幅復調信号と前記基準振幅信号とを相関させるステップと、前記周波数復調信号と前記基準周波数信号とを相関させるステップとを含み、前記第一および第二の相関器における相関結果に基づいて、前記振幅復調信号と前記位相復調信号との時間差を測定することを特徴とするものである。
【００１４】
本第八の発明は、入力信号と同期化する方法であって、入力信号を振幅復調し、前記入力信号の振幅成分である振幅復調信号を生成するステップと、前記入力信号を位相復調し、前記入力信号の位相成分である位相復調信号を生成するステップと、前記入力信号に対応し、互いに同期化した基準振幅信号および基準位相信号を生成するステップと、前記振幅復調信号と前記基準振幅信号とを相関させるステップと、前記位相復調信号と前記基準位相信号とを相関させるステップと、前記第一および第二の相関器における相関結果に基づいて、前記振幅復調信号と前記位相復調信号との時間差を得るステップと、前記時間差に基づいて、前記振幅復調信号および前記位相復調信号の少なくとも一方の時間位置を個別に調整するステップとを含むことを特徴とするものである。
【００１５】
本第九の発明は、本第八の発明において、前記調整ステップが、前記振幅復調信号および前記位相復調信号の時間位置が揃うように、前記振幅復調信号および前記位相復調信号の少なくとも一方の時間位置を個別に調整することを特徴とするものである。
【００１６】
本第十の発明は、入力信号と同期化する方法であって、互いに異なる２以上のＮ個の復調方式で前記入力信号を復調し、Ｎ個の復調信号を得る復調器と、前記復調信号のそれぞれと前記入力信号とに応じたＮ個の基準信号を生成する信号発生器と、前記復調された信号と、対応する前記基準信号とを相関させ、Ｎ個の相関結果を得る相関器と、前記Ｎ個の相関結果に基づき、前記Ｎ個の復調信号の時間位置を揃える時間位置調整器とを含むことを特徴とするものである。
【００１７】
本第十一の発明は、測定装置であって、変調信号である被測定信号から前記被測定信号の各成分を、前記各成分を時間位置を揃えて出力する同期化部と、前記各成分に基づいて、前記被測定信号の特性、または、前記被測定信号を出力する被測定物の特性を測定する測定部とを備えることを特徴とするものである。
【００１８】
本第十二の発明は、本第十の発明において、前記同期化部が、同一情報に対応する部分の時間位置を揃えて、前記各成分を出力することを特徴とするものである。
【００１９】
本第十三の発明は、本第十一の発明または本第十二の発明において、前記同期化部が、前記被測定信号を２以上のＮ個の復調方式のそれぞれで復調することによりＮ個の前記成分を得ることを特徴とするものである。
【００２０】
本第十四の発明は、本第十一の発明または本第十二の発明において、前記同期化部が、前記被測定信号の振幅成分および前記被測定信号の位相成分を生成し、前記振幅成分に含まれる情報と前記位相成分に含まれる情報の時間位置が揃うように、前記振幅成分と前記位相成分を出力することを特徴とするものである。
【００２１】
本第十五の発明は、本第十一乃至本第十四のいずれかの発明において、前記同期化部が、前記被測定信号を振幅復調し、前記被測定信号の振幅成分である振幅復調信号を生成する振幅復調器と、前記被測定信号を位相復調し、前記被測定信号の位相成分である位相復調信号を生成する位相復調器と、前記被測定信号に対応し、互いに同期化した基準振幅信号および基準位相信号を生成する信号発生器と、前記振幅復調信号と前記基準振幅信号とを相関させる第一の相関器と、前記位相復調信号と前記基準位相信号とを相関させる第二の相関器と、前記第一および第二の相関器における相関結果に基づいて、前記振幅復調信号と前記位相復調信号との時間差を得る測定器と、前記時間差に基づいて、前記振幅復調信号および前記位相復調信号の少なくとも一方の時間位置を個別に調整する時間位置調整器とを具備し、前記測定部が、時間位置が調整された前記振幅復調信号および前記位相復調信号に基づいて、前記被測定信号の特性、または、前記被測定信号を出力する被測定物の特性を測定することを特徴とするものである。
【００２２】
本第十六の発明は、時間差測定装置であって、入力信号を振幅復調し、前記入力信号の振幅成分である振幅復調信号を生成する振幅復調器と、前記入力信号を位相復調し、前記入力信号の位相成分である位相復調信号を生成する位相復調器と、前記入力信号に対応し、互いに同期化した基準振幅信号および基準位相信号を生成する信号発生器と、前記振幅復調信号と前記基準振幅信号とを相関させる第一の相関器と、前記位相復調信号と前記基準位相信号とを相関させる第二の相関器とを備え、前記第一および第二の相関器における相関結果に基づいて、前記振幅復調信号と前記位相復調信号との時間差を測定することを特徴とするものである。
【００２３】
本第十七の発明は、時間差測定装置であって、入力信号を振幅復調し、前記入力信号の振幅成分である振幅復調信号を生成する振幅復調器と、前記入力信号を位相復調し、前記入力信号の周波数成分である周波数復調信号を生成する位相復調器と、前記入力信号に対応し、互いに同期化した基準振幅信号および基準周波数信号を生成する信号発生器と、前記振幅復調信号と前記基準振幅信号とを相関させる第一の相関器と、前記周波数復調信号と前記基準周波数信号とを相関させる第二の相関器とを備え、前記第一および第二の相関器における相関結果に基づいて、前記振幅復調信号と前記位相復調信号との時間差を測定することを特徴とするものである。
【００２４】
本第十八の発明は、同期化装置であって、入力信号を振幅復調し、前記入力信号の振幅成分である振幅復調信号を生成する振幅復調器と、前記入力信号を位相復調し、前記入力信号の位相成分である位相復調信号を生成する位相復調器と、前記入力信号に対応し、互いに同期化した基準振幅信号および基準位相信号を生成する信号発生器と、前記振幅復調信号と前記基準振幅信号とを相関させる第一の相関器と、前記位相復調信号と前記基準位相信号とを相関させる第二の相関器と、前記第一および第二の相関器における相関結果に基づいて、前記振幅復調信号と前記位相復調信号との時間差を得る測定器と、前記時間差に基づいて、前記振幅復調信号および前記位相復調信号の少なくとも一方の時間位置を個別に調整する時間位置調整器とを備えることを特徴とするものである。
【００２５】
本第十九の発明は、本第十八の発明において、前記時間位置調整器が、前記振幅復調信号および前記位相復調信号の時間位置が揃うように、前記振幅復調信号および前記位相復調信号の少なくとも一方の時間位置を個別に調整することを特徴とするものである。
【００２６】
本第二十の発明は、同期化装置であって、互いに異なる２以上のＮ個の復調方式で入力信号を復調し、Ｎ個の復調信号を得る復調器と、前記復調信号のそれぞれと前記入力信号とに応じたＮ個の基準信号を生成する信号発生器と、前記復調された信号と、対応する前記基準信号とを相関させ、Ｎ個の相関結果を得る相関器と、前記Ｎ個の相関結果に基づき、前記Ｎ個の復調信号の時間位置を揃える時間位置調整器とを備えることを特徴とするものである。
【発明の効果】
【００２７】
本発明によれば、成分間に時間的ズレを有する変調信号と同期化することが容易になる。例えば、振幅変調成分と位相変調成分との間に時間的なずれを有する極座標変調信号と同期化することが容易になる。また、変調信号における成分間の時間的ズレを測定することができる。
【発明を実施するための最良の形態】
【００２８】
本発明の実施の形態を、添付の図面を参照しながら、以下に説明する。本発明の第一の実施形態は、変調信号を測定する電子測定装置２００である。ここで、図２を参照する。図２は、電子測定装置２００の内部構成を示すブロック図である。電子測定装置２００は、アナログ・ディジタル変換器２１０と、プロセッサ３００とを備える。アナログ・ディジタル変換器は、以下、ＡＤＣと称する。ＡＤＣ２１０は、被測定信号ＳＴをアナログ・ディジタル変換し、変換結果をプロセッサ３００へ出力する装置である。プロセッサ３００は、ＣＰＵ、ＭＰＵ、ＲＩＳＣまたはＤＳＰなどのような数値演算能力を有するプロセッサである。なお、プロセッサ３００は、ＣＰＵなどと同じように機能するものであればＦＰＧＡやＡＳＩＣなどであっても良い。プロセッサ３００は、図示しないプログラムを実行することにより、信号発生器３１０、振幅／位相分解器３２０、振幅／位相分解器３３０、相関器３４０、相関器３５０、時間差測定器３６０、時間位置調整器３７０および測定部３８０として機能する。特に、信号発生器３１０、振幅／位相分解器３２０、振幅／位相分解器３３０、相関器３４０、相関器３５０、時間差測定器３６０および時間位置調整器３７０が、同期化処理を行う部分である。
【００２９】
信号発生器３１０は、基準信号ＳＲを発生する装置である。基準信号ＳＲは、被測定信号ＳＴの変調方式と等価な変調方式により生成される信号である。例えば、被測定信号ＳＴが極座標変調方式より生成される場合、基準信号ＳＲは極座標変調方式や直交変調方式などにより生成される。また、被測定信号ＳＴおよび基準信号ＳＲは、同期化用信号を含む信号であって、例えば、ＥＤＧＥ信号やＧＳＭ信号などである。本実施形態では、ＥＤＧＥ信号が被測定信号ＳＴとして入力されるものとする。ここで、図３を参照する。ＥＤＧＥ信号はバースト単位で送受され、１つのバーストは１４７シンボルで構成される。１４７シンボルのうち一連の２６シンボル（７８ビット）が同期のために割り当てられている。同期用の情報として、８種類の固定パターン（ＴＳＣ０〜ＴＳＣ７）が規定されている。本実施形態では、被測定信号ＳＴがＴＳＣ０を含んで送信されるものとする。なお、ＴＳＣ０のビットパターンは、１６進表現で「３Ｆ３Ｆ９Ｅ４９ＦＦＦ３ＦＦ３Ｆ９Ｅ４９」である。一方、基準信号ＳＲは、被測定信号ＳＴと同じ種類の同期用シンボルパターンＴＳＣ０を含む。これにより、基準信号ＳＲは、同期用シンボル部分において、被測定信号ＳＴに対応する。なお、基準信号ＳＲは、特開２００４−３６１１７０号公報に記載されているように、被測定信号ＳＴを復調し、必要であれば復調結果に誤り訂正を施し、さらに復調結果を変調することにより生成することもできる。
【００３０】
振幅／位相分解器３２０および振幅／位相分解器３３０は、入力される信号を振幅成分と位相成分とに分解する装置である。振幅／位相分解器３２０は、振幅／位相分解のために、振幅復調器３２１と位相復調器３２２を備える。振幅復調器３２１は、振幅／位相分解器３２０に入力される被測定信号ＳＴを振幅復調することにより、被測定信号ＳＴの振幅成分である振幅復調信号ＳＴｒを生成し、振幅復調信号ＳＴｒを出力する装置である。位相復調器３２２は、被測定信号ＳＴを位相復調することにより、被測定信号ＳＴの位相成分である位相復調信号ＳＴθを生成し、位相復調信号ＳＴθを出力する装置である。振幅／位相分解器３３０は、振幅／位相分解のために、振幅復調器３３１と位相復調器３３２を備える。振幅復調器３３１は、振幅／位相分解器３３０に入力される基準信号ＳＲを振幅復調することにより、基準信号ＳＲの振幅成分である基準振幅信号ＳＲｒを生成し、基準振幅信号ＳＲｒを出力する装置である。位相復調器３３２は、基準信号ＳＲを位相復調することにより、基準信号ＳＲの位相成分である基準位相信号ＳＲθを生成し、基準位相信号ＳＲθを出力する装置である。なお、振幅復調器３２１および振幅復調器３３１は、同じ復調方式である。また、位相復調器３２２および位相復調器３３２は、同じ復調方式である。相関器３４０および相関器３５０は、入力される２つの信号を相関させ、相関結果を出力する装置である。時間差測定器３６０は、相関器３４０の出力信号と相関器３５０の出力信号との時間的な位置関係を測定し、測定結果を出力する装置である。時間位置調整器３７０は、時間差測定器３６０の出力信号に基づいて、振幅復調器３２１から出力される信号の時間位置と位相復調器３２２から出力される信号の時間位置を揃える装置である。時間位置調整器３７０の出力信号である同期化振幅信号ｒＳおよび同期化位相信号θＳは、測定部３８０に入力される。測定部３８０は、同期化振幅信号ｒＳおよび同期化位相信号θＳに基づいて、被測定信号ＳＴの特性、または、被測定信号ＳＴを出力する図示しない被測定物の特性を測定する。
【００３１】
上記のように構成される電子測定装置２００において、被測定信号ＳＴとの同期化は以下のように行われる。振幅／位相分解器３３０により、基準信号ＳＲから、基準振幅信号ＳＲｒと基準位相信号ＳＲθが生成される。参考のために、ＴＳＣ０に対応する部分における基準振幅信号ＳＲｒの波形を図４Ａに、ＴＳＣ０に対応する部分における基準位相信号ＳＲθの波形を図４Ｂに、それぞれ示す。図４Ａおよび図４Ｂにおいて、縦軸は信号振幅を表し、横軸は時間を表す。振幅復調信号ＳＴｒと位相復調信号ＳＴθは、理想的に生成され、時間位置が揃っている。一方、振幅／位相分解器３２０により、被測定信号ＳＴから、振幅復調信号ＳＴｒと位相復調信号ＳＴθが生成される。振幅復調信号ＳＴｒと位相復調信号ＳＴθは、信号劣化の度合いにもよるが、同期用シンボルに対応する部分において、おおむね図４Ａおよび図４Ｂに類似した波形を有する。
【００３２】
再び、図２を参照する。振幅復調信号ＳＴｒおよび対応する基準振幅信号ＳＲｒは、相関器３４０で相関される。相関器３４０の出力Δｔｒは、振幅復調信号ＳＴｒと基準振幅信号ＳＲｒの時間的な位置関係を示す。また、位相復調信号ＳＴθおよび対応する基準位相信号ＳＲθは、相関器３５０で相関される。相関器３５０の出力Δｔθは、位相復調信号ＳＴθと基準位相信号ＳＲθの時間的な位置関係を示す。相関器３４０および相関器３５０のそれぞれにおいて、入力される２信号の相関度が最も高いとき、出力信号に正または負のピークが現れる。時間差測定器３６０は、信号Δｔｒのピークと信号Δｔθのピークとを比較し、ピーク間の時間差を測定し、測定結果を時間差信号Δｔとして出力する。時間位置調整器３７０は、時間差信号Δｔに基づいて、振幅復調信号ＳＴｒおよび位相復調信号ＳＴθの少なくとも一方を個別に時間的に前にまたは後ろにずらし、振幅復調信号ＳＴｒと位相復調信号ＳＴθの時間位置を揃える。その結果、ＴＳＣ０に対応する部分の時間位置が揃った振幅成分ＳＴｒおよび位相成分ＳＴθである、同期化振幅信号ｒＳおよび同期化位相信号θＳが出力される。同期化振幅信号ｒＳおよび同期化位相信号θＳは、もちろん、全体としても時間位置が揃っている。このように、極座標変調信号である被測定信号ＳＴから、時間位置が揃った、被測定信号ＳＴの振幅成分ＳＴｒおよび被測定信号ＳＴの位相成分ＳＴθを生成することにより、測定部３８０での（測定部３８０への）被測定信号に対する同期化が容易になり、また、振幅成分ＳＴｒと位相成分ＳＴθとの時間的ズレに起因して測定結果に生じる誤差を低減することができる。
【００３３】
ところで、電子測定装置２００は、上記の同期化において、時間差信号Δｔを得る。この時間差信号Δｔは、図１に示す極座標アンプ１４０の調整、すなわち、極座標変調過程において生じる振幅変調成分と位相変調成分との間に時間的なずれをゼロする調整に有益である。
【００３４】
本第一の実施形態において、基準信号（ＳＲｒ，ＳＲθ）は、少なくとも互いに同期化し、理想的には時間位置が揃い、復調信号（ＳＴｒ，ＳＴθ）に対応するものであれば良い。従って、極座標変調信号である基準信号ＳＲからでなく、基準信号ＳＲの基となるデータＤＲから基準信号（ＳＲｒ，ＳＲθ）を生成しても良い。そこで、データＤＲから基準信号（ＳＲｒ，ＳＲθ）を生成するようにした第二の実施形態について以下に説明する。
【００３５】
本発明の第二の実施形態は、変調信号を測定する電子測定装置４００である。ここで、図５を参照する。図５は、電子測定装置４００の内部構成を示すブロック図である。図５において、図２と同一の要素については、同一の参照符号を付して、詳細説明を省略する。電子測定装置４００は、ＡＤＣ２１０と、プロセッサ５００とを備える。ＡＤＣ２１０は、被測定信号ＳＴをアナログ・ディジタル変換し、変換結果をプロセッサ５００へ出力する装置である。プロセッサ５００は、ＣＰＵ、ＭＰＵ、ＲＩＳＣまたはＤＳＰなどのような数値演算能力を有するプロセッサである。なお、プロセッサ５００は、ＣＰＵなどと同じように機能するものであればＦＰＧＡやＡＳＩＣなどであっても良い。プロセッサ５００は、図示しないプログラムを実行することにより、データ発生器５１０、振幅／位相分解器３２０、極座標信号発生器５３０、相関器３４０、相関器３５０、時間差測定器３６０、時間位置調整器３７０および測定部３８０として機能する。特に、データ発生器５１０、振幅／位相分解器３２０、極座標信号発生器５３０、相関器３４０、相関器３５０、時間差測定器３６０および時間位置調整器３７０が、同期化処理を行う部分である。
【００３６】
データ発生器５１０は、基準データＤＲを生成する装置である。基準データＤＲは、同期用パターンＴＳＣ０を含む。極座標信号発生器５３０は、基準データＤＲが入力される。極座標信号発生器５３０は、基準データＤＲに対応するシンボルの信号空間上の座標値を極座標形式で表す信号（ｒＲ，θＲ）を生成する装置である。例えば、あるシンボルの座標が（Ｉ，Ｑ）であるとき、極座標信号発生器５３０は、基準振幅信号ｒＲ＝√（Ｉ２＋Ｑ２）と基準位相信号θＲ＝ｔａｎ−１（Ｑ／Ｉ）を出力する。これら基準振幅信号ｒＲおよび基準位相信号θＲは、時間的な位置が揃っている。そして、基準振幅信号ｒＲは、基準振幅信号ＳＲｒの代わりに相関器３４０に印加される。また、基準位相信号θＲは、基準位相信号ＳＲθの代わりに相関器３５０に印加される。基準振幅信号ｒＲは、基準振幅信号ＳＲｒと同じである。また、基準位相信号θＲは、基準位相信号ＳＲθと同じである。
【００３７】
上記のように構成される電子測定装置４００において、被測定信号ＳＴとの同期化は以下のように行われる。振幅復調信号ＳＴｒおよび対応する基準振幅信号ｒＲは、相関器３４０で相関される。相関器３４０の出力Δｔｒは、振幅復調信号ＳＴｒと基準振幅信号ｒＲの時間的な位置関係を示す。また、位相復調信号ＳＴθおよび対応する基準位相信号θＲは、相関器３５０で相関される。相関器３５０の出力Δｔθは、位相復調信号ＳＴθと基準位相信号θＲの時間的な位置関係を示す。相関器３４０および相関器３５０のそれぞれにおいて、入力される２信号の相関度が最も高いとき、出力信号に正または負のピークが現れる。時間差測定器３６０は、信号Δｔｒのピークと信号Δｔθのピークとを比較し、ピーク間の時間差を測定し、測定結果として時間差信号Δｔとして出力する。時間位置調整器３７０は、時間差信号Δｔに基づいて、振幅復調信号ＳＴｒおよび位相復調信号ＳＴθの少なくとも一方を個別に、時間的に前にまたは後ろにずらし、振幅復調信号ＳＴｒと位相復調信号ＳＴθの時間位置を揃える。その結果、ＴＳＣ０に対応する部分の時間位置が揃った振幅復調信号ＳＴｒおよび位相復調信号ＳＴθである、同期化振幅信号ｒＳおよび同期化位相信号θＳが出力される。同期化振幅信号ｒＳおよび同期化位相信号θＳは、もちろん、全体としても時間位置が揃っている。このように、極座標変調信号である被測定信号ＳＴから、時間位置が揃った被測定信号ＳＴの振幅成分ＳＴｒおよび被測定信号ＳＴの位相成分ＳＴθを生成することにより、測定部３８０での（測定部３８０への）被測定信号に対する同期化が容易になり、また、振幅成分ＳＴｒと位相成分ＳＴθとの時間的ズレに起因して測定結果に生じる誤差を抑制することができる。
【００３８】
ところで、第一および第二の実施形態において、同期化振幅信号ｒＳと同期化位相信号θＳを他の信号形式に変換することができる。例えば、測定部３８０は、同期化振幅信号ｒＳと同期化位相信号θＳから極座標変調信号を得るために、極座標変調器６１０を内部に備えるか入力前段に付加することができる。また、測定部３８０は、同期化振幅信号ｒＳと同期化位相信号θＳから直交信号（Ｉ，Ｑ）を得るために、極座標／直交座標変換器６２０を内部に備えるか入力前段に付加することができる。極座標変調器６１０や極座標／直交座標変換器６２０は、例えば、次のような構成を有する。ここで、図６を参照する。極座標変調器６１０は、信号源６１１と、位相変調器６１２と、振幅変調器６１３とを備える。信号源６１１から出力される信号が、位相変調器６１２において同期化位相信号θＳにより位相変調が施され、さらに振幅変調器６１３において同期化振幅信号ｒＳにより振幅変調が施されることにより、極座標変調信号ＳＭが生成される。なお、信号源６１１から出力される信号の周波数は、０Ｈｚ以上である。信号源６１１の出力信号周波数を０Ｈｚにした場合、出力信号の周波数を低く抑えられるので、後に続く処理が容易になる。次に、図７を参照する。極座標／直交座標変換器６２０は、入力される同期化振幅信号ｒＳおよび同期化位相信号θＳから、Ｉ＝ｒＳ・ｃｏｓ（θＳ）、および、Ｑ＝ｒＳ・ｓｉｎ（θＳ）に基づき、同相信号Ｉと直交信号Ｑを生成する。上記の変換により、従来の測定装置が流用できるなどの利点が生まれる。
【００３９】
また、第一および第二の実施形態において、時間差を得るために振幅成分および位相成分のそれぞれについて相関させるようにしているが、振幅成分および周波数成分のそれぞれについて相関させても良い。位相変調と周波数変調は、ともに角度変調とも称され、相互に変換できる性質を有するからである。例えば、図２において、位相復調器３２２および位相復調器３３２を周波数復調器に変更することができる。また、図５において、位相復調器３２２を周波数復調器に変更し、極座標信号発生器５３０と相関器３５０との間に微分器を挿入するようにしても良い。これらの変更の結果、被測定信号ＳＴを周波数復調することにより周波数復調信号ＳＴｆ（不図示）が得られ、基準信号ＳＲを周波数復調することにより基準周波数信号ＳＲｆ（不図示）が得られる。もしくは、極座標信号発生器５３０の出力を微分することにより基準周波数信号ｆＲ（＝ＳＲｆ）が得られる。そして、位相成分に関する相関の代わりに、周波数復調信号ＳＴｆと基準周波数信号ＳＲｆまたはｆＲとを相関させる。最後に、振幅成分に関する相関結果のピークの時間位置と周波数成分に関する相関結果のピークの時間位置とを比較すると、時間差信号Δｔが得られる。ここで得られた時間差信号Δｔは、振幅復調信号ＳＴｒと位相復調信号ＳＴθとの時間位置調整に用いることができる。ただし、この場合、被測定信号ＳＴから位相復調信号ＳＴθを別途生成するか、上記の周波数復調信号ＳＲｆまたはｆＲから位相復調信号ＳＴθを生成する必要がある。
【００４０】
第一の実施形態に関し、図２において、基準振幅信号ＳＲｒと基準位相信号ＳＲθは、時間位置が揃っているが、互いに同期化していれば、すなわち、互いの時間位置関係が明らかであれば、基準振幅信号ＳＲｒと基準位相信号ＳＲθは時間的な位置が揃っていなくとも良い。ただし、その場合、基準振幅信号ＳＲｒと基準位相信号ＳＲθとの時間的ズレは、時間差信号Δｔを生成する時に加減算されるか、もしくは、時間位置調整器３７０において時間差信号Δｔに加減算されか、測定部３８０に与えられる。この場合、測定部３８０において、基準振幅信号ＳＲｒと基準位相信号ＳＲθとの時間的ズレを考慮した測定がなされる。この事は、第二の実施形態に関し、図５における基準振幅信号ｒＲおよび基準位相信号θＲについても同様である。基準振幅信号ｒＲと基準位相信号θＲは、時間位置が揃っているが、互いに同期化、すなわち、互いの時間位置関係が明らかであれば、基準振幅信号ｒＲと基準位相信号θＲは時間的な位置が揃っていなくとも良い。
【００４１】
さらに、本発明は、次のように拡張する事ができる。その拡張例を、第三の実施形態として以下に説明する。ここで、図８を参照する。図８は、変調信号発生装置８００と電子測定装置９００を示す図である。電子測定装置９００は、変調信号発生装置８００が発生する信号と同期化する。変調信号発生装置８００は、搬送波を生成する信号源８１０と、ｎ個の信号源（８２０−１〜ｎ）と、ｎ個の変調器（８３０−１〜ｎ）とを備える。信号源（８２０−１〜ｎ）は、関連する変調方式（Ｆ１〜Ｆｎ）と送信情報ｄとに基づき、信号Ｓ（Ｆ１〜Ｆｎ、ｄ）を発生する装置である。送信情報ｄは時間位置の基準となる情報を含んでおり、信号源（８２０−１〜ｎ）が生成する信号も互いに時間的な位置関係が分かるような情報を含んでいる。変調器（８３０−１〜ｎ）は、互いに干渉しない変調方式が採用される。ここで、「互いに干渉しない」とは、例えば、変調器（８３０−１）で搬送波に乗せられた信号が他の変調器（８３０−２）の影響を受けることなく、また、変調器（８３０−１）の変調方式と対になる復調方式により、信号Ｓ（Ｆ１、ｄ）に相当する信号のみを復調することができる関係をいう。信号源８１０の出力信号ｍ０は、変調器（８３０−１〜ｎ）により順次変調されて、電子測定装置９００へ送られる。なお、ｍ１、ｍ２、・・・、ｍｎ−１は、それぞれ、変調器８３０−１、８３０−２、・・・、８３０−（ｎ−１）の出力信号を示す。なお、信号源（８２０−１〜ｎ）は、１〜ｎ個分の機能を果たす信号発生装置で置き換えることができる。同様に、変調器（８３０−１〜ｎ）も、１〜ｎ個分の機能を果たす変調装置で置き換えることができる。
【００４２】
電子測定装置９００は、ｎ個の復調器（９１０−１〜ｎ）と、ｎ個の基準信号源（９２０−１〜ｎ）と、ｎ個の相関器（９３０−１〜ｎ）と、時間差測定／時間位置調整器９４０と、測定部９５０とを備える。復調器（９１０−１〜ｎ）のそれぞれは、変調器（４３０−１〜ｎ）のそれぞれの変調方式と対になる形式の復調を行う。すなわち、図において、Ｆ１−１〜Ｆｎ−１のそれぞれは、Ｆ１〜Ｆｎのそれぞれと対である。復調器（９１０−１〜ｎ）は、それぞれ、復調結果である復調信号ｅ０〜ｅｎを出力する。復調信号ｅ０〜ｅｎは、変調信号である被測定信号ｘの各成分を表す。基準信号源（９２０−１〜ｎ）のそれぞれは、関連する復調器（９１０−１〜ｎ）の復調方式のそれぞれと被測定信号ｘとに応じた、基準信号Ｒ（Ｆ１〜Ｆｎ、ｘ）を生成する。なお、基準信号Ｒ（Ｆ１〜Ｆｎ、ｘ）は、互いに同期化している。相関器（９３０−１〜ｎ）のそれぞれは、関連する復調器（９１０−１〜ｎ）の出力信号ｅ０〜ｅｎと、関連する基準信号Ｒ（Ｆ１〜Ｆｎ、ｘ）とを相関させる。時間差測定／時間位置調整器９４０は、各相関器（９３０−１〜ｎ）の相関結果に基づいて、各復調器（９１０−１〜ｎ）の出力信号間の時間差を測定し、測定結果を出力する。なお、図において、時間差測定／時間位置調整器９４０から出力される時間差情報は、最大でｎＣ２組の信号間の時間差情報が出力されるものとする。また、時間差測定／時間位置調整器９４０は、各相関器（９３０−１〜ｎ）の相関結果に基づいて、復調信号ｅ０〜ｅｎの時間的な位置を揃える。時間位置の調整は、第一または第二の実施形態のように、同一情報に対応する部分を利用して行われる。そして、時間差測定／時間位置調整器９４０からは、時間的な位置が揃った信号ｅ０〜ｅｎである同期化信号ａ０〜ａｎが出力される。なお、時間差測定／時間位置調整器９４０内では、復調信号ｅ０〜ｅｎの少なくとも１つが、個別に時間的に前にまたは後ろにずらされる。最後に、測定部９５０は、同期化信号ａ０〜ａｎに基づいて、被測定信号ｘの特性、または、被測定信号ｘを出力する変調信号発生装置８００の特性を測定する。なお、復調器（９１０−１〜ｎ）は、１〜ｎ個分の機能を果たす復調装置で置き換えることができる。同様に、基準信号源（９２０−１〜ｎ）も、１〜ｎ個分の機能を果たす信号発生装置で置き換えることができる。また、相関器（９３０−１〜ｎ）も、１〜ｎ個分の機能を果たす相関装置で置き換えることができる。
【００４３】
第一および第二の実施形態において、被測定信号ＳＴをアナログ・ディジタル変換した後、プロセッサでソフトウェア処理するようにしているが、プロセッサで処理する部分の一部または全部について、ハードウェア処理するようにしても良い。その場合、ＡＤＣ２１０が不要になるかもしくは別の場所に配置されるか、または、別のＡＤＣが必要になるであろう。また、同様に、第三の実施形態においては、ハードウェアもしくはソフトウェアのいずれか一方、または、それらの両方で処理されるようにすることができる。
【実施例１】
【００４４】
最後に、本発明の効果を示す。ここで、図９と図１０を参照する。両図は、ＥＤＧＥ信号のコンスタレーションを示す図である。図９は、従来の同期化方法を用いた場合の測定結果である。図１０は、本発明の同期化方法を用いた場合の測定結果である。図１０を見て明らかなように、本発明によれば、理想コンスタレーションポイントからのベクトル誤差が従来に比べて低減されている。これにより、例えば、変調精度の悪化が、極座標アンプによるものかどうか判断することができる。
【図面の簡単な説明】
【００４５】
【図１】極座標変調方式の概念を示すブロック図である。
【図２】電子測定装置２００の内部構成を示すブロック図である。
【図３】ＥＤＧＥバースト信号の構造を示す図である。
【図４Ａ】基準振幅信号ＳＲｒの波形を示す図である。
【図４Ｂ】基準位相信号ＳＲθを示す図である。
【図５】電子測定装置４００の内部構成を示すブロック図である。
【図６】極座標変調器６１０の内部構成を示すブロック図である。
【図７】極座標／直交座標変換器６２０の内部構成を示すブロック図である。
【図８】変調信号発生装置８００と電子測定装置９００を示す図である。
【図９】コンスタレーションを示す図である。
【図１０】コンスタレーションを示す図である。
【符号の説明】
【００４６】
１１０  極座標信号発生器
１２０  搬送波信号源
１３０  位相変調器
１４０  極座標アンプ
１４１  フィルタ
１４２  フィルタ
１４３  可変利得飽和増幅器
２００，４００  電子測定装置
２１０  アナログ・ディジタル変換器
３００，５００  プロセッサ
３１０  信号発生器
３２０，３３０  位相分解器
３２１，３３１  振幅復調器
３２２，３３２  位相復調器
３４０，３５０  相関器
３６０  時間差測定器
３７０  時間位置調整器
３８０  測定部
５１０  データ発生器
５３０  極座標信号発生器
６１０  極座標変調器
６１１  信号源
６１２  位相変調器
６１３  振幅変調器
６２０  直交座標変換器
８００  変調信号発生装置
９００  電子測定装置
【図１】
2007013403.tif 000003
【図２】
2007013403.tif 000004
【図３】
2007013403.tif 000005
【図４Ａ】
2007013403.tif 000006
【図４Ｂ】
2007013403.tif 000007
【図５】
2007013403.tif 000008
【図６】
2007013403.tif 000009
【図７】
2007013403.tif 000010
【図８】
2007013403.tif 000011
【図９】
2007013403.tif 000012
【図１０】
2007013403.tif 000013